(57)【要約】  電気ケーブルに終端される電気コネクタと共に使用するケーブルオーガナイザーは、ベース部及びベース部にヒンジにより固定されベース部から延びるカバー部を含む一体式の絶縁ハウジングを含む。ベース部は、底壁及び底壁から延びる対向する第１の側壁を含む。カバー部は、頂壁及び頂壁から延びる対向する第２の側壁を含む。底壁、頂壁、及び第１の側壁が、ケーブルオーガナイザーが終端電気コネクタに組み立てられるとき、電気ケーブルを保持するように構成されるチャネルを協調的に画定する。ケーブルオーガナイザーは、チャネルに配置され電気ケーブルの保持を補助するように構成されるスプリングクリップを含み得る。【選択図】図１ａ
2013524435.tif 000002
【特許請求の範囲】
【請求項１】
電気ケーブルに終端される電気コネクタと共に使用するケーブルオーガナイザーであって、
ベース部及び前記ベース部にヒンジにより固定され前記ベース部から延びるカバー部を含む一体式の絶縁ハウジングであって、前記ベース部は底壁と前記底壁から延びる対向する第１の側壁とを含み、前記カバー部は頂壁と前記頂壁から延びる対向する第２の側壁とを含む、一体式の絶縁ハウジングを含み、
前記底壁、前記頂壁、及び前記第１の側壁が、前記ケーブルオーガナイザーが前記終端電気コネクタに組み立てられるとき、前記電気ケーブルを保持するように構成されるチャネルを協調的に画定する、ケーブルオーガナイザー。
【請求項２】
前記カバー部は、前記第１の側壁と前記第２の側壁とのうちの１つで、前記ベース部にヒンジにより固定され前記ベース部から延び、
前記対向する第１の側壁と前記第２の側壁とは前記ケーブルオーガナイザーを閉位置で協調的に保持するように構成される、対応するラッチ部材を含む、請求項１に記載のケーブルオーガナイザー。
【請求項３】
前記底壁及び前記頂壁からそれぞれ延び、前記ケーブルオーガナイザーと前記電気コネクタとを固定した相対位置で保持するように構成される、対向する保持要素を含む、請求項１に記載のケーブルオーガナイザー。
【請求項４】
前記電気ケーブルの輪郭及び電気コネクタの輪郭の少なくとも１つに、実質的に対応する輪郭を有する、請求項１に記載のケーブルオーガナイザー。
【請求項５】
前記対向する第１の側壁がそれぞれ、
前記チャネル内に延びて、前記電気ケーブルの保持を補助するように構成される、第１の把持要素を含む、請求項１に記載のケーブルオーガナイザー。
【請求項６】
前記頂壁は、
前記チャネル内に延びて、前記電気ケーブルの保持を補助するように構成される、第２の把持要素を含む、請求項１に記載のケーブルオーガナイザー。
【請求項７】
前記チャネル内に配置され、前記電気ケーブルの保持を補助するように構成される、スプリングクリップを更に含む、請求項１に記載のケーブルオーガナイザー。
【請求項８】
電気コネクタ組立品であって、
複数の導体を有する電気ケーブルに終端される電気コネクタと、
前記終端電気コネクタに組み立てられるケーブルオーガナイザーであって、
ベース部及び前記ベース部にヒンジにより固定され前記ベース部から延びるカバー部を含む一体式の絶縁ハウジングであって、前記ベース部は底壁及び前記底壁から延びる対向する第１の側壁を含み、前記カバー部は頂壁及び前記頂壁から延びる対向する第２の側壁を含む、一体式の絶縁ハウジングを含む、ケーブルオーガナイザーと、を含み、
前記底壁、前記頂壁、及び前記第１の側壁が、前記電気ケーブルを保持するように構成されるチャネルを協調的に画定する、電気コネクタ組立品。
【請求項９】
前記電気コネクタは、本体と、前記本体に配置され前記電気ケーブルに電気的に接続される複数の端子と、ワイヤ取付部分と、を含む、請求項８に記載の電気コネクタ組立品。
【請求項１０】
前記電気コネクタ及び前記ケーブルオーガナイザーが、前記ケーブルオーガナイザーと前記電気コネクタとを固定した相対位置で協調的に保持するように構成される、対応する保持要素を含む、請求項８に記載の電気コネクタ組立品。
【発明の詳細な説明】
【技術分野】
【０００１】
本開示は、電気コネクタと電気ケーブルとの間で行われる終端に一般的に関する。より詳細には、本開示はそれらの終端を適切に管理するためのケーブルオーガナイザーに関する。
【背景技術】
【０００２】
ケーブル及び終端ワイヤのストレスを最小限にするために、ワイヤ又はケーブルに終端される電気コネクタにケーブルオーガナイザーを使用することは、当該技術分野において周知である。典型的な従来のケーブルオーガナイザーは、コネクタハウジング及びワイヤのまわりで固定可能な２つの別個の部材を含み得る。２つの別個の部材は、例えば、２つの部材上で連動する機能の外部ハードウェア等の様々な方法によって共に固定され得る。別の典型的な従来のケーブルオーガナイザーは、コネクタハウジング及びワイヤのまわりに設けられる保護スリープを含み得る。従来のケーブルオーガナイザーは、ケーブル及び終端ワイヤ上のストレスを十分に最小化し得るが、多くの場合、高価で、かさばり、デザインが複雑で、ワイヤ又はケーブルに終端される電気コネクタに組み立てる及び／又は電気コネクタから取り外すのが困難で、特定のワイヤ又はケーブルの寸法での使用にのみ適している。更に、従来のケーブルオーガナイザーは、ワイヤ又はケーブルに終端される電気コネクタの電気的接地を提供するようにデザインされていない。
【発明の概要】
【発明が解決しようとする課題】
【０００３】
使用により大きな柔軟性をもたらし、製造が容易でありかつ経済的である、ケーブルオーガナイザーが明らかに必要である。
【課題を解決するための手段】
【０００４】
一態様では、本発明は、電気ケーブルに終端される電気コネクタと共に使用するケーブルオーガナイザーを提供する。ケーブルオーガナイザーは、ベース部及びベース部にヒンジにより固定されベース部から延びるカバー部を含む一体式の絶縁ハウジングを含む。ベース部は、底壁及び底壁から延びる対向する第１の側壁を含む。カバー部は、頂壁及び頂壁から延びる対向する第２の側壁を含む。ケーブルオーガナイザーが終端電気コネクタに組み立てられるとき、底壁、頂壁、及び第１の側壁が、電気ケーブルを保持するように構成されるチャネルを協調的に画定する。ケーブルオーガナイザーは、チャネルに配置され、電気ケーブルの保持を補助するように構成されるスプリングクリップを含み得る。
【０００５】
別の態様では、本発明は、複数の導体を有する電気ケーブルに終端される電気コネクタ、及び終端電気コネクタに組み立てられるケーブルオーガナイザーを含む、電気コネクタ組立品を提供する。ケーブルオーガナイザーは、ベース部及びベース部にヒンジにより固定されベース部から延びるカバー部を含む一体式の絶縁ハウジングを含む。ベース部は、底壁及び底壁から延びる対向する第１の側壁を含む。カバー部は、頂壁及び頂壁から延びる対向する第２の側壁を含む。底壁、頂壁、及び第１の側壁は、電気ケーブルを保持するように構成されるチャネルを協調的に画定する。
【０００６】
上記の本発明の概要は、開示される本発明の実施形態のそれぞれ又はすべての実施の態様を説明することを目的としたものではない。以下の添付図面及び詳細な説明により、例示的な実施形態をより具体的に例示する。
【図面の簡単な説明】
【０００７】
【図１ａ】本発明の態様による終端電気コネクタ及びケーブルオーガナイザーの例示的な実施形態の上面斜視図。
【図１ｂ】図１ａの終端電気コネクタ及びケーブルオーガナイザーの底面斜視図。
【図２ａ】本発明の態様による電気コネクタ及び電気ケーブルの例示的な実施形態を終端処理する例示的なプロセスの工程を例示する斜視図。
【図２ｂ】本発明の態様による電気コネクタ及び電気ケーブルの例示的な実施形態を終端処理する例示的なプロセスの工程を例示する斜視図。
【図２ｃ】本発明の態様による電気コネクタ及び電気ケーブルの例示的な実施形態を終端処理する例示的なプロセスの工程を例示する斜視図。
【図２ｄ】本発明の態様による電気コネクタ及び電気ケーブルの例示的な実施形態を終端処理する例示的なプロセスの工程を例示する斜視図。
【図２ｅ】本発明の態様による電気コネクタ及び電気ケーブルの例示的な実施形態を終端処理する例示的なプロセスの工程を例示する斜視図。
【図２ｆ】本発明の態様による電気コネクタ及び電気ケーブルの例示的な実施形態を終端処理する例示的なプロセスの工程を例示する斜視図。
【図３ａ】ケーブルオーガナイザーが終端電気コネクタに開位置で組み立てられるように位置する、図１ａの終端電気コネクタ及びケーブルオーガナイザーの上面斜視図。
【図３ｂ】ケーブルオーガナイザーが終端電気コネクタに開位置で組み立てられる、図１ａの終端電気コネクタ及びケーブルオーガナイザーの上面斜視図。
【図３ｃ】ケーブルオーガナイザーが終端電気コネクタに閉位置で組み立てられる、図１ａの終端電気コネクタ及びケーブルオーガナイザーの上面斜視図。
【図３ｄ】図１ａの終端電気コネクタ及びケーブルオーガナイザーの図３ｃの３ｄ−３ｄ線における断面斜視図。
【図４ａ】図１ａの電気コネクタの底面斜視図。
【図４ｂ】図１ａの電気コネクタの上面斜視図。
【図５ａ】図１ａのケーブルオーガナイザーの開位置での分解上面斜視図。
【図５ｂ】図１ａのケーブルオーガナイザーの開位置での上面斜視図。
【図５ｃ】図１ａのケーブルオーガナイザーの閉位置での上面斜視図。
【図６ａ】本発明の態様によるケーブルオーガナイザーの別の例示的な実施形態の開位置での分解上面斜視図。
【図６ｂ】図６ａのケーブルオーガナイザーの開位置での上面斜視図。
【図６ｃ】図６ａのケーブルオーガナイザーの閉位置での上面斜視図。
【発明を実施するための形態】
【０００８】
以下の好適な実施形態の詳細な説明では、その一部をなす添付の図面を参照する。添付の図面は、本発明を実施することが可能な具体的な実施形態を例として示す。他の実施形態の使用も可能であり、また本発明の範囲から逸脱することなく構造上又は論理上の変更を行い得る点は理解されるであろう。したがって、以下の詳細な説明は限定的な意味で解釈されるべきものではなく、本発明の範囲は添付の特許請求の範囲によって定義されるものである。
【０００９】
ここで、図を参照して、図１ａ〜１ｂは、本発明の態様による終端電気コネクタ１００及びケーブルオーガナイザー２００の例示的な実施形態を図示する。終端電気コネクタ１００は、電気コネクタ１０２、及び電気コネクタ１０２に終端される電気ケーブル１０４を含む。更に図４ａ〜４ｂを参照して、電気コネクタ１０２は、本体１０６、本体１０６に配置される複数の端子１０８、導体取付部分１１０、及びラッチレバー１１２を含む。ラッチレベル１１２は、本体１０６の後端部１１６の近傍の両方の側壁１１４から嵌合方向に延びる。相手コネクタ（図示せず）のロック孔と係合するロック部１１８が、ラッチレバー１１２の外面１２０の先端部１２２に設けられる。端子１０８は、終端電気コネクタ１００が相手コネクタと嵌合するとき、相手コネクタ（図示せず）の対応するコンタクトに電気的に接続され、導体取付部１１０の導体穴１２４（例えば、図４ａに示す）に挿入される電気ケーブル１０４の導体１２８及び接地導体１３４（例えば、図２ａに示す）に機械的かつ電気的に接続される。
【００１０】
電気コネクタ１０２及びケーブルオーガナイザー２００は、それぞれ対応する保持要素１２６及び２２６を含み、ケーブルオーガナイザー２００及び電気コネクタ１０２を固定した相対位置で協調的に保持するように構成され、例えば、電気ケーブル１０４の個々の導体（例えば、導体１２８及び接地導体１３４等）が曲がる及び捻れるのを防ぐ。図１ａ〜１ｂに示す実施形態では、保持要素２２６はラッチとして構成され、保持要素１２６はラッチを受け入れるように構成されるノッチとして構成される。保持要素２２６は、図５ａ〜５ｃで最も良く見ることができる。保持要素１２６は、図４ａ〜４ｂで最も良く見ることができる。保持要素１２６をノッチとして構成する利点は、本体１０６及び導体取付部１１０の変更が最小限で済み、本体１０６及び導体取付部１１０の機能性及び一体性に対してほとんど影響を及ぼさないことである。他の実施形態では、保持要素１２６及び２２６は、意図する用途に適する他の構成を有し得る。
【００１１】
図２ａ〜２ｆは、本発明の態様による電気コネクタ１０２及び電気ケーブル１０４の終端の例示的なプロセスの工程を例示する。図２ａを参照すると、電気ケーブル１０４は、複数の導体１２８、導体１２８の周りに配置される接地シールド１３０、並びに導体１２８及び接地シールド１３０の周りに配置される絶縁ジャケット１３２を含む。図２ａに例示する工程では、絶縁ジャケット１３２の部分１３２ａが電気ケーブル１０４から分離され取り除かれて、接地シールド１３０の部分が露出し、接地導体１３４が接地シールド１３０から分離される。図２ｂ〜２ｃに例示する工程では、導電性テープ１３６が接地シールド１３０の露出部分の周りに付けられる。図２ｂ〜２ｃに例示する実施形態では、導電性テープ１３６は銅テープを含む。他の実施形態では、導電性テープ１３６は省略されてもよく、又は意図する用途に適する他の導電性テープが使用されてもよい。図２ｄに例示する工程では、導電性テープ１３６及び接地シールド１３０（導電性テープ１３６に付着した）は後方に（絶縁ジャケット１３２の方へ）折りたたまれ、導体１２８及び接地導体１３４の先端部分が露出する。図２ｅに例示する工程では、導電性テープ１３６の部分が前方に折りたたまれ、接地シールド１３０を間に挟み、絶縁ジャケット１３２の先端部分を覆う。特に接地シールド１３０が複数の個々の編組線を含む編組シールドであるとき、個々の編組線を間に挟むことで電気的短絡が起こる恐れを防ぐ。これで電気ケーブル１０４を電気コネクタ１０２に組み立てる準備が完了する。ケーブルオーガナイザー２００の使用と組み合わせるケーブルを準備するこの方法は、収縮チューブの必要性を無くし、収縮チューブは、導体１２８及び接地導体１３４の露出部分のストレスを最小限にし、接地シールド１３０及び接地導体１３４を絶縁する、従来のケーブルの準備方法で多くの場合使用される。更に、導電性テープ１３６によって接地シールド１３０の電気的接続を可能にする。図２ｆに例示する工程では、電気ケーブル１０４は電気コネクタ１０２に組み立てられる。１つの例示的な方法では、導体取付部１１０は開位置にある（すなわち、本体１０６に関して、隆起し、並列又は角度を有する）。導体１２８及び接地導体１３４の先端部分は、導体取付部１１０の導体穴１２４に挿入される。次に、導体取付部１１０に圧力が加えられ導体取付部１１０を閉位置に移動させ（すなわち、本体１０６に着座する）、それによって導体１２８及び接地導体１３４の対応する端末１０８との電気的及び機械的な接続が確立する。一実施形態では、端子１０８は圧接（ＩＤＣ）端子であってもよい。
【００１２】
図３ａ〜３ｂは、ケーブルオーガナイザー２００及び終端電気コネクタ１００の組立品を例示する。図３ａでは、ケーブルオーガナイザー２００は終端電気コネクタ１００に開位置で組み立てられるように位置する。図３ｂでは、ケーブルオーガナイザー２００は終端電気コネクタ１００に開位置で組み立てられる。図３ｃ〜３ｄでは、ケーブルオーガナイザー２００は終端電気コネクタ１００に閉位置で組み立てられる。ケーブルオーガナイザー２００は、電気ケーブル１０４を保持しひずみ取りをもたらし、導体１２８、接地導体１３４、及び接地シールド１３０等の露出部分に保護を与え、特に接地シールド１３０が複数の個々の編組線を含む編組シールドであるとき、電気ケーブル１０４の接地シールド１３０が電気的短絡を起こすのを防ぐように構成される。更に、ケーブルオーガナイザーは、終端電気コネクタ１００に容易に組み立てられ、取り外され、そして再使用可能である。
【００１３】
次に図５ａ〜５ｃを参照すると、ケーブルオーガナイザー２００は、ベース部２０４及びベース部２０４にヒンジにより固定されベース部２０４から延びるカバー部２０６を含む一体式の絶縁ハウジング２０２を含む。ベース部２０４は、底壁２０８及び底壁２０８から延びる対向する第１の側壁２１０を含む。カバー部２０６は、頂壁２１２及び頂壁２１２から延びる対向する第２の側壁２１４を含む。図５ａ〜５ｃに示す実施形態では、カバー部２０６は、第１の側壁２１０と第２の側壁２１４とのうちの１つで、ベース部２０４にヒンジにより固定されベース部２０４から延びる。対向する第１の側壁２１０及び第２の側壁２１４は、ケーブルオーガナイザー２００を閉位置で協調的に保持する（図５ｃ）ように構成される、対応するラッチ部材２１６ａ及び２１６ｂを含む。ケーブルオーガナイザー２００は、底壁２０８及び頂壁２１２からそれぞれ延びる対向する保持要素２２６を更に含む。前述したように、保持要素２２６は、ケーブルオーガナイザー２００及び電気コネクタ１０２を固定した相対位置で保持するように構成される。保持要素２２６、並びに前述したベース部２０４及びカバー部２０６のヒンジとラッチとの構成は、組み合わせて、ケーブルオーガナイザー２００が終端電気コネクタ１００に容易に組み立てられることを可能にし、同時に電気ケーブル１０４の保持、並びにケーブルオーガナイザー２００及び電気コネクタ１０２の連動を確立する。
【００１４】
ケーブルオーガナイザー２００が終端電気コネクタ１００に組み立てられるとき、底壁２０８、頂壁２１２、及び第１の側壁２１０は、電気ケーブル１０４を保持するように構成されるチャネル２２８を協調的に画定する。電気ケーブル１０４を保持することは、電気ケーブル１０４にひずみ取りをもたらし、それは導体１２８及び接地導体１３４にひずみ取りをもたらすことを典型的に含む。電気ケーブル１０４の保持を補助するために、対向する第１の側壁２１０はそれぞれ、チャネル２２８内に延びる第１の把持要素２３０を含む。ケーブルオーガナイザー２００が終端電気コネクタ１００に組み立てられる間、電気ケーブル１０４は、第１の把持要素２３０を通ってチャネル２２８に位置する際に弾性的に変形し得る。電気ケーブル１０４がチャネル２２８に位置するとき、第１の把持要素２３０は、例えば、絶縁ジャケット１３２にて、保持を補助するために、電気ケーブル１０４に付加的な締め付け力を提供し得る。図５ａ〜５ｃに例示する実施形態では第１の把持要素２３０は、第１の側壁２１０の長さに沿って延びる連続した隆起部を含むが、他の実施形態では、第１の把持要素２３０は不連続であり得、意図する用途に適する他の形状を有し得る。電気ケーブル１０４の保持を補助するために、頂壁２１２は、チャネル２２８内に延びる第２の把持要素２３２を含む。ケーブルオーガナイザー２００が終端電気コネクタ１００に閉位置（図５ｃ）で組み立てられるとき、第２の把持要素２３２は電気ケーブル１０４に付加的な締め付け力を提供し得、それによって保持を補助する。図５ａ〜５ｃに例示する実施形態では第２の把持要素２３２は、頂壁２１２から延びる曲線状の突出部を含むが、他の実施形態では、第２の把持要素２３２は意図する用途に適する他の形状を有し得る。チャネル２２８、第１の把持要素２３０、及び第２の把持要素２３２の寸法及び形状は、電気ケーブル１０４の寸法及び形状、並びに意図する用途に適する適切な保持力に基づいて選択され得る。
【００１５】
図５ａ〜５ｃに例示する実施形態では、ケーブルオーガナイザー２００は、チャネル２２８に配置され、電気ケーブル１０４の保持を補助するように構成される、スプリングクリップ２３４を任意選択で含む。スプリングクリップ２３４は、底部２３６及び底部２３６から延びる対向する側部２３８を含む。電気ケーブル１０４を受け入れるために弾力的にたわみ得るように、底部２３６はベース部２０４の底壁２０８に対応するように形成され、対向する側部２３８はベース部２０４の対向する側壁２１０に対応するように形成される。図５ａ〜５ｃに例示する実施形態では、スプリングクリップ２３４は実質的に三角形の形状を有し、底部２３６及び対向する側部２３８は内向きに湾曲する。この構成は３つの接点を協調的に設け、電気ケーブル１０４の優れた保持をもたらす。スプリングクリップ２３４は、底部２３６がベース部２０４の底壁２０８に隣接して位置し、対向する側部２３８がベース部２０４の対向する側壁２１０に隣接して位置する（図５ｂ）ように、ベース部２０４と位置合わせし（図５ａ）コネクタ端部２４０からベース部２０４に挿入することで、絶縁ハウジング２０２のベース部２０４に組み立てられ得る。一実施形態では、スプリングクリップ２３４は、図２ａ〜２ｆを参照して前述したように準備される電気ケーブル１０４の保持を補助するように構成される。この実施形態では、スプリングクリップ２３４は、接地シールド１３０を間に挟み絶縁ジャケット１３２の先端部分を覆い、前方に折りたたまれる（図２ｅ〜２ｆ）導電性テープ１３６の部分で、電気ケーブル１０４の保持を補助するように構成される。スプリングクリップ２３４を含むケーブルオーガナイザー２００の重要な利点は、電気ケーブル１０４の保持を補助することに加えて、一実施形態では、ケーブルオーガナイザー２００が終端電気コネクタ１００に組み立てられるとき、スプリングクリップ２３４は電気ケーブル１０４の接地シールド１３０と電気的に接触し（導電性テープ１３６を介して）、終端電気コネクタ１００の十分な電気的接地をもたらす。スプリングクリップ２３４はスペーサとしても機能し得、ケーブルオーガナイザー２００が異なる形状及び寸法を有する様々な電気ケーブル１０４と共に使用されることを可能にする。この場合、ケーブルオーガナイザー２００が電気ケーブル１０４をなお適切に保持するように、スプリングクリップ２３４は電気ケーブル１０４とケーブルオーガナイザー２００のチャネル２２８との間の形状及び／又は寸法の差を補う。スプリングクリップ２３４は、終端電気コネクタ１００の接地された構成で、及び非接地の構成で、使用され得る。
【００１６】
図６ａ〜６ｃは、本発明の態様によるケーブルオーガナイザーの別の例示的な実施形態を例示する。ケーブルオーガナイザー３００は、ベース部３０４及びベース部３０４にヒンジにより固定されベース部３０４から延びるカバー部３０６を含む一体式の絶縁ハウジング３０２を含む。ベース部３０４は、底壁３０８及び底壁３０８から延びる対向する第１の側壁３１０を含む。カバー部３０６は、頂壁３１２及び頂壁３１２から延びる対向する第２の側壁３１４を含む。図６ａ〜６ｃに示す実施形態では、カバー部３０６は、第１の側壁３１０と第２の側壁３１４とのうちの１つで、ベース部３０４にヒンジにより固定されベース部３０４から延びる。対向する第１の側壁３１０及び第２の側壁３１４は、ケーブルオーガナイザー３００を閉位置で協調的に保持する（図６ｃ）ように構成される、対応するラッチ部材３１６ａ及び３１６ｂを含む。ケーブルオーガナイザー３００は、底壁３０８及び頂壁３１２からそれぞれ延びる対向する保持要素３２６を更に含む。
【００１７】
ケーブルオーガナイザー３００が終端電気コネクタ１００に組み立てられるとき、底壁３０８、頂壁３１２、及び第１の側壁３１０は、電気ケーブル１０４を保持するように構成されるチャネル３２８を協調的に画定する。チャネル３２８の寸法及び形状は、電気ケーブル１０４の寸法及び形状、並びに意図する用途に適する適切な保持力に基づいて選択され得る。
【００１８】
図６ａ〜６ｃに例示する実施形態では、ケーブルオーガナイザー３００は、チャネル３２８に配置され電気ケーブル１０４の保持を補助するように構成される、スプリングクリップ３３４を任意選択で含む。スプリングクリップ３３４は、底部３３６及び底部３３６から延びる対向する側部３３８を含む。電気ケーブル１０４を受け入れるために弾力的にたわみ得るように、底部３３６は、ベース部３０４の底壁３０８に対応するように形成され、対向する側部３３８は、ベース部３０４の対向する側壁３１０に対応するように形成される。図６ａ〜６ｃに例示する実施形態では、スプリングクリップ３３４はＵ字形を有し、側部３３８は外向きに弾力的にたわむように構成される。スプリングクリップ３３４は、底部３３６がベース部３０４の底壁３０８に隣接して位置し、対向する側部３３８がベース部３０４の対向する側壁３１０に隣接して位置する（図６ｂ）ように、ベース部３０４と位置合わせし（図６ａ）底端部３４０からベース部３０４のクリップ受け入れチャネル３４２に挿入することで、絶縁ハウジング３０２のベース部３０４に組み立てられ得る。スプリングクリップ３３４が挿入されている間、側部３３８は内向けにたわみ得、スプリングクリップ３３４が完全に差し込まれると元の状態にはね返り得る。スプリングクリップ３３４は、側部３３８の端部に位置しクリップ受け入れチャネル３４２の対応する縁部３４６と協働するように構成される、フック部３４４を含み、スプリングクリップ３３４をベース部３０４に保持する。
【００１９】
一態様では、ケーブルオーガナイザー３００はより小さな寸法の電気ケーブルに適し得るのに対して、ケーブルオーガナイザー２００はより大きな寸法の電気ケーブルに適し得る。
【００２０】
意図する用途次第で、本発明の態様によるケーブルオーガナイザーは、電気ケーブルの輪郭及び電気コネクタの輪郭の少なくとも１つに、実質的に対応する輪郭を有し得る。例えば、ケーブルオーガナイザー２００は電気コネクタ１０２の輪郭１５０（図４ａを参照）に実質的に対応する輪郭２５０（図５ｃを参照）を有し、ケーブルオーガナイザー３００は電気コネクタ１０４の輪郭１５２（図１ｂを参照）に実質的に対応する輪郭３５０（図６ｃを参照）を有する。実質的に対応する輪郭を有することで、終端電気コネクタ及びケーブルオーガナイザーの組立品によって占有される空間量を最適化し、終端電気コネクタ及びケーブルオーガナイザーの組立品に一体化した外観を与える。
【００２１】
本明細書で説明する実施形態及び実現形態のそれぞれでは、電気コネクタ及びその素子の種々の構成要素は任意の好適な材料で形成される。材料は意図する用途によって選択され、金属及び非金属の両方を含み得る（例えば、ポリマー、ガラス、及びセラミックスが挙げられるがこれらに限定されない非導電性材料のうちの任意の１つ又は組み合わせ）。一実施形態では、例えば、本体１０６、導体取付部分１１０、絶縁ハウジング２０２及び絶縁ハウジング３０２等の電気的絶縁の構成要素は、射出成形、押し出し、鋳造、機械加工等の方法によって高分子材料から形成されるのに対し、例えば、端子１０８、スプリングクリップ２３４及びスプリングクリップ３３４等の導電性の構成要素は、成形、鋳造、鍛造、機械加工等の方法によって金属から形成される。材料選定は、例えば、化学薬品暴露条件、温度及び湿度条件を含む環境暴露条件、難燃性要件、材料強度、並びに剛性などを含むがこれらに限定されない要因に依存する。
【００２２】
以下は、本発明の態様によるケーブルオーガナイザー及び電気コネクタ組立品のそれぞれの例示的な実施形態である。
【００２３】
実施形態１は、電気ケーブルに終端される電気コネクタと共に使用するケーブルオーガナイザーであって、ベース部及びベース部にヒンジにより固定されベース部から延びるカバー部を含む一体式の絶縁ハウジングであって、ベース部は底壁と底壁から延びる対向する第１の側壁を含み、カバー部は頂壁と頂壁から延びる対向する第２の側壁とを含む、一体式の絶縁ハウジングを含み、底壁、頂壁、及び第１の側壁が、ケーブルオーガナイザーが終端電気コネクタに組み立てられるとき、電気ケーブルを保持するように構成されるチャネルを協調的に画定する、ケーブルオーガナイザーである。
【００２４】
実施形態２は、カバー部は第１の側壁と第２の側壁とのうちの１つで、ベース部にヒンジにより固定されベース部から延び、対向する第１の側壁と第２の側壁とはケーブルオーガナイザーを閉位置で協調的に保持するように構成される、対応するラッチ部材を含む、実施形態１に記載のケーブルオーガナイザーである。
【００２５】
実施形態３は、ケーブルオーガナイザーは、底壁及び頂壁からそれぞれ延び、ケーブルオーガナイザー及び電気コネクタを固定した相対位置で保持するように構成される、対向する保持要素を含む、実施形態１に記載のケーブルオーガナイザーである。
【００２６】
実施形態４は、ケーブルオーガナイザーは、電気ケーブルの輪郭及び電気コネクタの輪郭の少なくとも１つに、実質的に対応する輪郭を有する、実施形態１に記載のケーブルオーガナイザーである。
【００２７】
実施形態５は、対向する第１の側壁がそれぞれ、チャネル内に延びて、電気ケーブルの保持を補助するように構成される、第１の把持要素を含む、実施形態１に記載のケーブルオーガナイザーである。
【００２８】
実施形態６は、頂壁は、チャネル内に延びて、電気ケーブルの保持を補助するように構成される、第２の把持要素を含む、実施形態１に記載のケーブルオーガナイザーである。
【００２９】
実施形態７は、チャネル内に配置され、電気ケーブルの保持を補助するように構成される、スプリングクリップを更に含む、実施形態１に記載のケーブルオーガナイザー。
【００３０】
実施形態８は、ケーブルオーガナイザーが終端電気コネクタに組み立てられるとき、スプリングクリップは電気ケーブルの接地シールドと電気的に接触する、実施形態７に記載のケーブルオーガナイザーである。
【００３１】
実施形態９は、スプリングクリップが底部及び底部から延びる対向する側部を含み、底部は、底壁に対応するように形成され、対向する側部は、対向する側壁に対応するように形成される、実施形態７に記載のケーブルオーガナイザーである。
【００３２】
実施形態１０は、電気コネクタ組立品であって、複数の導体を有する電気ケーブルに終端される電気コネクタと、終端電気コネクタに組み立てられるケーブルオーガナイザーであって、ベース部及びベース部にヒンジにより固定されベース部から延びるカバー部を含む一体式の絶縁ハウジングであって、ベース部は底壁及び底壁から延びる対向する第１の側壁を含み、カバー部は頂壁及び頂壁から延びる対向する第２の側壁を含む、一体式の絶縁ハウジングを含む、ケーブルオーガナイザーと、を含み、底壁、頂壁、及び第１の側壁が、電気ケーブルを保持するように構成されるチャネルを協調的に画定する、電気コネクタ組立品である。
【００３３】
実施形態１１は、電気コネクタは、本体と、本体に配置され電気ケーブルに電気的に接続される複数の端子と、ワイヤ取付部分と、を含む、実施形態１０の電気コネクタ組立品である。
【００３４】
実施形態１２は、電気コネクタ及びケーブルオーガナイザーが、ケーブルオーガナイザー及び電気コネクタを固定した相対位置で協調的に保持するように構成される、対応する保持要素を含む、実施形態１０の電気コネクタ組立品である。
【００３５】
以上、好適な実施形態の説明を目的として特定の実施形態を本明細書に図示、説明したが、同様の目的を達成することが予想される広範な代替的かつ／又は同等の実施の態様を、本発明の範囲を逸脱することなく、図示及び説明された特定の実施形態に置き換えることができる点は当業者には認識されるであろう。機械的、電気機械的、及び電気的分野における当業者であれば、本発明が広範な実施形態で実施しうる点は直ちに認識されるであろう。本出願は、本明細書で考察した好適な実施形態のあらゆる適合形態又は変形例を含むものである。したがって、本発明が特許請求の範囲及びその均等物によってのみ限定される点を明示するものである。
【図１ａ】
2013524435.tif 000003
【図１ｂ】
2013524435.tif 000004
【図２ａ】
2013524435.tif 000005
【図２ｂ】
2013524435.tif 000006
【図２ｃ】
2013524435.tif 000007
【図２ｄ】
2013524435.tif 000008
【図２ｅ】
2013524435.tif 000009
【図２ｆ】
2013524435.tif 000010
【図３ａ】
2013524435.tif 000011
【図３ｂ】
2013524435.tif 000012
【図３ｃ】
2013524435.tif 000013
【図３ｄ】
2013524435.tif 000014
【図４ａ】
2013524435.tif 000015
【図４ｂ】
2013524435.tif 000016
【図５ａ】
2013524435.tif 000017
【図５ｂ】
2013524435.tif 000018
【図５ｃ】
2013524435.tif 000019
【図６ａ】
2013524435.tif 000020
【図６ｂ】
2013524435.tif 000021
【図６ｃ】
2013524435.tif 000022
【国際調査報告】
2013524435.tif 000023
2013524435.tif 000024